(57)【特許請求の範囲】
【請求項１】
第１の記録媒体を収納する第１収納部(７)と、第２の記録媒体を収納する第２収納部(８)とを設け、一方の収納部(７)内の記録媒体から、他方の収納部(８)内の記録媒体へのデータ転送を指示するとともに、両記録媒体の記録容量を検索する制御回路(９)と、データ転送方向を示す保存表示ランプ(４)とを具え、
何れか一方の収納部(７)(８)には、データ保存中であることを表示する発光灯(41)が設けられ、
制御回路(９)は、両記録媒体の記録容量を比較し、データ転送先の記録媒体の記録容量が十分であるときと、不十分であるときとで、保存表示ランプ(４)の表示状態を変える切換え機能を有し、
制御回路(９)は、データ転送先の記録媒体の記録容量が十分であると判断したときは、発光灯(41)を点滅又は点灯させるとともに、保存表示ランプ(４)を消灯することを特徴とする記録媒体収納装置。
【請求項２】
第１の記録媒体を収納する第１収納部(７)と、第２の記録媒体を収納する第２収納部(８)とを設け、一方の収納部(７)内の記録媒体から、他方の収納部(８)内の記録媒体へのデータ転送を指示するとともに、両記録媒体の記録容量を検索する制御回路(９)と、データ転送方向を示す保存表示ランプ(４)と、何れか一方の収納部(７)(８)においてデータ保存中であることを表示する発光灯(41)とを具えた装置の状態表示方法であって、
両記録媒体の記録容量を比較する工程と、
データ転送先の記録媒体の記録容量が十分であるときと、不十分であるときとで、保存表示ランプ(４)の表示状態を変える工程と、
データ転送先の記録媒体の記録容量が十分であると判断したときは、発光灯(41)を点滅又は点灯させるとともに、保存表示ランプ(４)を消灯する工程と、
を有する記録媒体収納装置の状態表示方法。
【発明の詳細な説明】
【０００１】
【発明の属する技術分野】
本発明は、信号をデジタルデータとして格納するカード、ディスク等の記録媒体を収納して、一方の記録媒体のデータを他方の記録媒体に転送する装置、及び該装置の状態表示方法に関する。
【０００２】
【従来の技術】
図９は、従来のデジタルスチルカメラの斜視図である。該カメラは画像、音声等の信号をデジタルデータとして、メモリカード(65)に格納する。メモリカード(65)の容量が一杯になれば、別のメモリカード(65)に交換する。
【０００３】
【発明が解決しようとする課題】
従来のデジタルカメラでは、例えば旅行中にて、使っているメモリカード(65)の容量が一杯になると、メモリカード(65)を交換しないと、新たに画像等を格納することができない。これでは、旅行時にメモリカード(65)を多数枚用意する必要があり、不便である。
メモリカード(65)の格納データを消去して新たな画像等を格納することも考えられるが、既に格納したデータを別の記録媒体に格納しておく必要がある。然るに、別の記録媒体としてはパーソナルコンピュータのハードディスク等が一般的であり、パーソナルコンピュータのない旅行先では別の記録媒体に格納しておくこともできない。更に、たとえ旅行先にパーソナルコンピュータがあっても、データ転送が面倒である。
出願人は、この点に鑑みて、後記の如く、メモリカード(65)の内容を、該メモリカード(65)よりも大容量のディスクに簡単に転送できる携帯型のデータ転送装置を着想した。但し、この場合、ディスクに予め別のデータが格納されていて、ディスクの容量がメモリカード(65)の内容を格納するのに不十分なことがある。また、その逆にディスクからメモリカード(65)にデータを転送する場合に、メモリカード(65)の容量が不十分な場合がある。
出願人は、該装置にて、メモリカード(65)又はディスクの記録容量が十分か否かが簡単に判る工夫を盛り込むことを考えた。
本発明の目的は、携帯型のデータ転送装置にて、記録媒体の記録容量が十分か否かを使用者に分かり易くすることにある。
【０００４】
【課題を解決する為の手段】
第１の記録媒体を収納する第１収納部(７)と、第２の記録媒体を収納する第２収納部(８)とを設け、一方の収納部(７)内の記録媒体から、他方の収納部(８)内の記録媒体へのデータ転送を指示するとともに、両記録媒体の記録容量を検索する制御回路(９)と、データ転送方向を示す保存表示ランプ(４)とを具えている。
さらに、何れか一方の収納部(７)(８)には、データ保存中であることを表示する発光灯(41)が設けられている。
制御回路(９)は、両記録媒体の記録容量を比較し、データ転送先の記録媒体の記録容量が十分であるときと、不十分であるときとで、保存表示ランプ(４)の表示状態を変える切換え機能を有する。
さらに制御回路(９)は、データ転送先の記録媒体の記録容量が十分であると判断したときは、発光灯(41)を点滅又は点灯させるとともに、保存表示ランプ(４)を消灯する。
【０００５】
【作用及び効果】
本発明に係わる装置にあっては、データ転送先の記録媒体の容量が十分である場合と、該記録媒体の容量が不足している場合とで、保存表示ランプ(４)の表示状態が異なる。即ち、１つの保存表示ランプ(４)でデータ転送先の記録媒体の容量が十分であるか、又は不十分であるかを表示でき、便利である。また、記録媒体の容量の十分、不十分に対応して保存表示ランプ(４)を２つ設ける必要がないから、装置の小型化も可能になる。
さらに、データ転送先の記録媒体がデータ保存可能であれば、保存表示ランプ(４)が消灯するとともに、発光灯(41)が点滅又は点灯して、データ転送中であることを知らせる。即ち、保存表示ランプ(４)と発光灯(41)をともに点灯させることがないから、節電効果がある。特に、本装置は携帯型を想定しているから、乾電池で駆動されることが多く、節電効果があるゆえに、乾電池を長持ちさせることができる。
【０００６】
【発明の実施の形態】
以下、本発明の一例を図を用いて詳述する。
図１は、本例に係わる装置の斜視図である。本例にあっては、データの記録媒体として厚薄２種類のメモリカード(65)(66)、及び両メモリカード(65)(66)よりも大容量のディスク(60)を内包したカートリッジ(６)が収納される装置を開示している。両メモリカード(65)(66)は、十から数十ＭＢyte程度の容量であり、カートリッジ(６)内のディスク(60)は数百ＭＢyte程度の容量である。カートリッジ(６)の上面には、シャッタ(61)が配備され、シャッタ(61)が開くと、ディスク(60)が露出する。
装置は携帯用であり、装置のキャビネット(１)は、カートリッジ(６)が収納される第１収納部(７)と、メモリカード(65)(66)の収納口(81)(82)を具えた第２収納部(８)を並べて設けている。キャビネット(１)上にて、両収納部(７)(８)間には、表示部(２)、操作釦(３)(30)(31)(32)、データ転送方向を示す保存表示ランプ(４)(40)、データ格納時に押される保存釦(45)が設けられている。表示部(２)の表示内容は後記する。
【０００７】
第２収納部(８)の天面には、手動開閉式の蓋体(80)が設けられ、該蓋体(80)内に乾電池(図示せず)が収納される。両メモリカード(65)(66)の収納口(81)(82)は、電池収納部の下方に配備され、厚手のメモリカード(65)用の収納口(81)の側方には、該メモリカード(65)取出し用の取出し釦(71)が設けられている。
第２収納部(８)の側面には、電源用釦(83)が設けられ、第２収納部(８)上にて収納口(81)(82)の近傍には、データ格納中であることを示す発光灯(41)が設けられている。
第１収納部(７)の天面には、蓋体(70)が設けられ、第１収納部(７)の正面には、蓋体(70)を開く際にスライド操作するイジェクト釦(72)が設けられている。
第１収納部(７)は蓋体(70)の下面に、カートリッジ(６)が収納されるホルダ(73)を設けており、蓋体(70)を閉じた状態で、ディスク(60)に対してデータ信号が記録又は再生される。
【０００８】
図２は、キャビネット(１)の背面図である。キャビネット(１)の背面にて、表示部(２)の下方には、端子(10)(11)が設けられている。端子(10)(11)は、具体的にはＩＥＥＥ１３９４仕様の端子、ＵＳＢ端子であり、各端子(10)(11)にＩＥＥＥ１３９４ケーブル、ＵＳＢケーブルを装着し、電源用釦(83)を操作すると、端子(10)(11)にケーブルが接続されたことが検知される。端子(10)(11)の側方には、ＡＣアダプタが接続される電源コード用端子(12)が設けられている。
【０００９】
第１収納部(７)内には、ディスク(60)に対してデータ信号を記録し、又ディスク(60)からデータ信号を再生するメカデッキ(５)が設けられている。図５は、メカデッキ(５)の構成を示す側面断面図である。カートリッジ(６)を受けるシャーシ(50)には、ディスク中心に接近離間する向きに移動するピックアップ(51)が設けられ、該ピックアップ(51)にはヘッドレバー(52)を介して記録ヘッド(53)が設けられている。信号記録時には、ピックアップ(51)がディスク裏面にビームＢを発して、ビーム照射箇所をキュリー温度に熱しつつ、記録ヘッド(53)からデータ信号を供給する。再生時には、記録ヘッド(53)への通電を遮断し、ピックアップ(51)からビームを発してデータ信号を再生する。データ信号の記録又は再生中に、蓋体(70)が不用意に開くと、スムーズに記録又は再生されないから、データ信号の記録又は再生中は、イジェクト釦(72)をスライドしても、蓋体(70)が開かない工夫がされている。この工夫の詳細は、出願人が以前、特願２０００−１６６９５９号(未公開発明)に記載しており、説明を省く。
【００１０】
図３は、表示部(２)及び操作釦(３)(30)(31)(32)の平面図である。本装置には動作モードとして、ＳＡＶＥ、ＤＰＯＦ、ＦＯＲＭＡＴの３つの動作モード、及びパーソナルコンピュータ等との接続検出モードがある。ＳＡＶＥモードはディスク(60)又はメモリカード(65)(66)にデータを格納する際のモードであり、ＤＰＯＦモードとはＤigital Ｐrint Ｏrder Ｆormatの略であり、具体的にはプリントアウトするメモリカード(65)(66)内の画像の種類や枚数を、画像と一緒に格納する際のモードである。また、ＦＯＲＭＡＴモードとはディスク(60)やメモリカード(65)(66)を初期化する際のモードであり、ディスク(60)やメモリカード(65)(66)の全領域を十分に初期化するＦ−ＦＯＲＭＡＴ(フルフォーマット)と、一旦使用したディスク(60)やメモリカード(65)(66)を初期化する際に操作されるＱ−ＦＯＲＭＡＴ(クイックフォーマット)がある。
操作釦には、各モードを設定するＳＥＴ釦(３)、設定モードをキャンセルするＣＡＮＣＥＬ釦(32)、モード移行時又はデータ転送方向を変更する際に操作されるＳＥＬＥＣＴ釦(30)(31)がある。電源投入後に、右側のＳＥＬＥＣＴ釦(30)を押すたびに、ＳＡＶＥモード→ＤＰＯＦモード→ＦＯＲＭＡＴモードの順にモードが切り替わる。左側のＳＥＬＥＣＴ釦(31)を押すたびに、モードの切り替わる順番は、上記と逆、即ちＦＯＲＭＡＴモード→ＤＰＯＦモード→ＳＡＶＥモードの順に切り替わる。
【００１１】
表示部(２)には、ＳＡＶＥモード、ＤＰＯＦモード、ＦＯＲＭＡＴモードの表示箇所(20)(21)(22)があり、該当するモードの箇所が点灯する。即ち、ＳＡＶＥモードであれば、”ＳＡＶＥ”の文字が点灯して、他の箇所が消灯する。表示部(２)には、またカートリッジ(６)、メモリカード(65)(66)が挿入されれば点灯する表示箇所(23)(24)(25)もある。この表示箇所(23)(24)(25)は、所謂アイコンであり、所定の動作時には、カートリッジを示すアイコン内のディスクが回転する。
更に、電池収納部内の電池の容量を、白抜き状態で示す箇所(28)もあり、電池容量が一杯であると、該箇所内が黒く塗られて表示される。交流電源が接続されていると、勿論、該箇所内は黒く塗られて表示される。表示部(２)内には、データ転送方向を示して点灯する矢印(26)もあり、該矢印(26)はデータ転送の進行状況に応じて表示状態が変わる。具体的には、矢印(26)の後端部が５つのセグメント(27)(27)に分けられ、データ転送に要する時間の１／５が経過する度に、最も外側にて点灯しているセグメント(27)が１つ消灯する。当初電源を投入した状態では、矢印(26)は左向き、即ちメモリカード(65)(66)からカートリッジ(６)に向かう方向にデータが転送されることが示される。ＳＡＶＥモードを選択した後に、何れかのＳＥＬＥＣＴ釦(30)(31)を押すと、矢印(26)は図４に示すように右向きになる。矢印(26)は、左右何れを向いても、指し示す収納部(７)(８)の上面略中央部を指している。
【００１２】
図６は、装置内の回路ブロック図であり、各回路は装置の下端部に配置される。各モードの動作は、制御回路(９)にて決定され、該制御回路(９)にはレギュレータ(91)を介して交流電源又は電池から、安定した直流電源が給電される。尚、ＩＥＥＥ１３９４仕様の端子(10)からレギュレータ(91)を介して給電されることもある。操作釦(３)(30)及び発光灯(41)はマイクロコンピュータ(90)を介して制御回路(９)に繋がる。
制御回路(９)は、ＲＩＳＣ(Reduced Instruction Set Computer)型のマイクロプロセッサであり、ＪＰＥＧエンコーダ／デコーダ、ビデオエンコーダ等を内蔵している。制御回路(９)には、第１ＳＤＲＡＭ(Synchronous DRAM)(92)が接続されるとともに、２本のバスライン(93)(94)、及びバッファ(95)(96)を介して、第１収納部(７)と第２収納部(８)が接続される。ＩＥＥＥ１３９４仕様の端子(10)は駆動用ＩＣ(97)に繋がり，該駆動用ＩＣ(97)に第２ＳＤＲＡＭ(98)が接続される。尚、両ＳＤＲＡＭ(92)(98)には、クロック信号が供給される。
【００１３】
(各動作の概要)
電源投入及びデータ保存時
予めカートリッジ(６)と少なくとも一方のメモリカード(65)(66)を入れておき、電源を投入する。電源を投入した当初は、ＳＡＶＥモードになり、前記の如く、矢印(26)は左向き、即ち、メモリカード(65)(66)からカートリッジ(６)に向かう方向にデータが転送されることが示される。
制御回路(９)はメモリカード(65)(66)、カートリッジ(６)のディスク(60)の残り容量を演算する。メモリカード(65)(66)の残り容量は、メモリカード(65)(66)内のコントローラに記憶されており、ディスク(60)の残り容量はディスク内周部のＴＯＣに記録されている。ディスク(60)の残り容量は表示部(２)に表示され、該ディスク(60)が初期化されていないと判断されれば、ＦＯＲＭＡＴモードの表示箇所(22)が点滅する。
【００１４】
メモリカード(65)からカートリッジ(６)にデータを転送して保存するときは、使用者は保存釦(45)を押す。メモリカード(65)、ディスク(60)の残り容量が十分であると、左側の保存表示ランプ(４)が約３秒間点灯して、データ保存可能であることを示す。３秒経過後に保存表示ランプ(４)が消灯するとともに、発光灯(41)が点滅又は点灯して、メモリカード(65)からカートリッジ(６)にデータが転送されていることを知らせる。ディスク(60)にデータが格納される。このときに、メモリカード(65)が抜かれると、データ保存が不正確になるから、発光灯(41)を点滅又は点灯させて、使用者にメモリカード(65)を抜かないように注意を喚起している。
このとき、メモリカード(65)に対応したアイコンが点滅し、カートリッジ(６)に対応したアイコン内のディスクが回転する。前記の如く、データ転送に要する時間の１／５が経過する度に、矢印(26)の後端部にて最も外側にて点灯しているセグメント(27)が１つ消灯する。全てのセグメント(27)が消灯し、データ転送が完了すると、アイコン内のディスクが回転停止し、メモリカード(65)に対応したアイコンの点滅が点灯に変わる。発光灯(41)が消灯する。この後、約３分間放置すると、自動的に電源が切れる。データ転送完了後は、メモリカード(65)をデジタルスチルカメラに挿入して、再び画像を格納することができる。
仮に、メモリカード(65)、ディスク(60)の残り容量が不足していると、左側の保存表示ランプ(４)が約３秒間点滅して、データ保存ができないことを示す。
【００１５】
カートリッジ(６)からメモリカード(65)(66)にデータを転送して保存するときは、ＳＡＶＥモードにてＳＥＴ釦(３)を押し該モードに設定する。次にＳＥＬＥＣＴ釦(30)を押して、矢印(26)の向きを変える、即ち、図４に示すように右向きに設定する。再びＳＥＴ釦(３)を押して、矢印(26)の向きを右向きに設定する。表示部(２)には、ディスク(60)のフォルダが表示される。ここで、フォルダとは格納された各画像に割り当てられた番号であり、使用者はＳＥＬＥＣＴ釦(30)を押して転送すべき画像のフォルダを表示させる。ＳＥＴ釦(３)を押して、転送すべきフォルダを確定した後に、保存釦(45)を押して、カートリッジ(６)からメモリカード(65)(66)へのデータ転送を開始する。前記と同様に、メモリカード(65)(66)の容量が十分であれば、右側の保存表示ランプ(40)が約３秒間点灯する。メモリカード(65)(66)の容量が不足していると、右側の保存表示ランプ(40)が約３秒間点滅する。
データ転送を開始から終了までの動作は、メモリカード(65)(66)からカートリッジ(６)にデータを転送するときと、ほぼ同様である。
【００１６】
ＤＰＯＦモード
メモリカード(65)の画像をプリントアウトするには、電源投入後に、ＳＥＬＥＣＴ釦(30)を押してＤＰＯＦモードを選択した後に、ＳＥＴ釦(３)を押して該モードに設定する。本例に係わる装置にあっては、ＤＰＯＦモードは各画像を１枚ずつプリントアウトすべき旨が設定される。
表示部(２)のＤＰＯＦモードに対応した表示箇所(21)が点灯するとともに、選択すべき画像の番号を入力する旨が表示される。ＳＥＬＥＣＴ釦(30)を押して、所望の画像番号が表示されると、ＳＥＴ釦(３)を押す。表示箇所(21)の日付入力部分が点滅する。
ここで、日付が不要なときは、そのままＳＥＴ釦(３)を押す。ＤＰＯＦの設定が開始される。
日付入力が必要なときは、ＳＥＬＥＣＴ釦(30)を押し続けて、所望の日付が表示されると、ＳＥＴ釦(３)を押す。ＤＰＯＦの設定が開始され、ＤＰＯＦの設定が完了すると、初期状態に戻る。
【００１７】
ＦＯＲＭＡＴモード
メモリカード(65)(66)が１枚のみ収納されている場合や、カートリッジ(６)のみが収納されている場合にＦＯＲＭＡＴモードに移行し、複数のメモリカード(65)(66)や、メモリカード(65)とカートリッジ(６)が収納されていれば、ＦＯＲＭＡＴモードにはならない。
カートリッジ(６)又はメモリカード(65)(66)を初期化する場合は、初期化すべきカートリッジ(６)又はメモリカード(65)(66)のうち、１つを装置に収納した後に、ＳＥＬＥＣＴ釦(30)を押してＦＯＲＭＡＴモードを選択した後に、ＳＥＴ釦(３)を押して該モードに設定する。ＳＥＬＥＣＴ釦(30)を押すと、表示部(２)のＦＯＲＭＡＴモードの表示箇所(22)には”Ｑ−ＦＯＲＭＡＴ”、即ちクイックフォーマットする旨が表示される。このまま、ＳＥＴ釦(３)を押すと、クイックフォーマットが開始される。
ＦＯＲＭＡＴモードの表示箇所(22)に”Ｑ−ＦＯＲＭＡＴ”が表示された状態で、ＳＥＬＥＣＴ釦(30)を押すと、次に”Ｆ−ＦＯＲＭＡＴ”が表示され、ＳＥＴ釦(３)を押すと、フルフォーマットが開始される。
クイックフォーマット、フルフォーマットの何れにしても、フォーマット動作が完了すれば、初期状態に戻り、残り容量が表示される。
尚、上記各モード設定の途中で、ＣＡＮＣＥＬ釦(32)を押せば、設定前の動作に戻る。
【００１８】
パーソナルコンピュータとの接続
装置に電源を投入した際に、ＵＳＢケーブル又はＩＥＥＥ１３９４ケーブルが接続されていれば、接続検出モードとなる。ここでＩＥＥＥ１３９４ケーブルが接続されていれば、ディスク(60)の保存データをパーソナルコンピュータに転送可能な状態となり、ＵＳＢケーブルが接続されていれば、ディスク(60)又はメモリカード(65)(66)のデータはパーソナルコンピュータに転送可能な状態となり、パーソナルコンピュータ側の操作に応じて転送する。ＵＳＢケーブルが接続されている場合に於いて、ディスク(60)及びメモリカード(65)(66)の３種類の記録媒体が全て格納されていれば、パーソナルコンピュータの操作に応じて、順番に転送する。
【００１９】
ＵＳＢケーブルが接続されている状態では、表示部(２)には、カートリッジ(６)及びメモリカード(65)(66)に対応したアイコンが全て点灯する。カートリッジ(６)を挿入すれば、ディスク(60)の格納データがパーソナルコンピュータに転送され、ディスク(60)に対応したアイコンが回転する。メモリカード(65)を挿入すれば、メモリカード(65)の格納データがパーソナルコンピュータに転送され、メモリカード(65)に対応したアイコンが点滅する。データ転送が終わると、ＵＳＢケーブルを外して、電源を切る。
ＩＥＥＥ１３９４ケーブルが接続されている状態では、表示部(２)には、カートリッジ(６)に対応したアイコンのみが点灯する。ＵＳＢケーブルを接続した場合と同様に、データ転送が行われる。
【００２０】
(本例の装置の利点)
図７は、キャビネット(１)とパーソナルコンピュータ(15)をＵＳＢケーブル(16)にて接続した状態の正面図である。パーソナルコンピュータ(15)の画面上には、カートリッジ(６)及びメモリカード(65)(66)に対応したアイコン(17)(17)(17)が表示される。ＵＳＢケーブル(16)は、キャビネット(１)の長手方向の中央部から延びており、パーソナルコンピュータ(15)の画面を見た使用者には、第１収納部(７)及び第２収納部(８)からのデータがパーソナルコンピュータ(15)に伝わっていることが容易に判る。
これに比して、図７に一点鎖線で示すように、キャビネット(１)の端部である第２収納部(８)からＵＳＢケーブル(16)が延びていれば、使用者は、あたかも第２収納部(８)からのデータのみがパーソナルコンピュータ(15)に伝わっている印象を受ける。このような誤解を避けるべく、ＵＳＢケーブル(16)は、キャビネット(１)の長手方向の中央部から延ばしている。勿論、ＩＥＥＥ１３９４ケーブルもキャビネット(１)の長手方向の中央部から延びている。
【００２１】
また、図８に示すように、表示部(２)をキャビネット(１)の前端部に設けることも、考えられる。しかし、これでは矢印(26)が第１収納部(７)又は第２収納部(８)に直に向いておらず、使用者にはデータが両収納部(７)(８)間で転送されていることが判りにくい。本例にあっては、収納部(７)(８)間の上面に設けられた表示部(２)が示すデータ転送方向は、何れかの収納部(７)の上面略中央部を向いているから、何れの収納部(８)内の記録媒体に向かってデータが転送されているかが判りやすい。
また、キャビネット(１)の奥行き長さを短くするには、図８に示すように、ＳＥＴ釦(３)、ＳＥＬＥＣＴ釦(30)(31)、ＣＡＮＣＥＬ釦(32)を左右に分けて配置する必要があり、これでは使用者は両手で各釦を操作しなければならず、面倒である。
本例にあっては、両収納部(７)(８)間にて表示部(２)の近傍に操作釦(３)(30)を配置することにより、複数の操作釦(３)(30)を片手で操作できる。また、操作釦(３)(30)と表示部(２)が接近しているから、操作釦(３)(30)の操作内容が手元に表示される。使用者には操作内容がわかりやすくなり、使い勝手がよい。
【００２２】
本例にあっては、データ転送先の記録媒体の容量が十分であれば、保存表示ランプ(４)が所定時間、具体的には約３秒間点灯する。データ転送先の記録媒体の容量が不足していると、保存表示ランプ(４)が所定時間、具体的には約３秒間点滅する。即ち、１つの保存表示ランプ(４)でデータ転送先の記録媒体の容量が十分であるか、又は不十分であるかを表示でき、便利であるとともに、記録媒体の容量の十分、不十分に対応して保存表示ランプ(４)を２つ設ける必要がないから、装置の小型化も可能になる。
また、データ転送先の記録媒体がデータ保存可能であれば、保存表示ランプ(４)が消灯するとともに、発光灯(41)が点滅又は点灯して、データ転送中であることを知らせる。即ち、保存表示ランプ(４)と発光灯(41)をともに点灯させることがないから、節電効果がある。特に、乾電池で駆動される本装置にあっては、その効果が高い。
【００２３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わる装置の斜視図である。
【図２】図１の装置の背面図である。
【図３】表示部及び操作釦の平面図である。
【図４】右向きの矢印を示す図である。
【図５】メカデッキの構成を示す側面断面図である。
【図６】装置内の回路ブロック図である。
【図７】キャビネットとパーソナルコンピュータをＵＳＢケーブルにて接続した状態の正面図である。
【図８】別の装置の平面図である。
【図９】従来のデジタルスチルカメラの斜視図である。
【符号の説明】
(４)  保存表示ランプ
(７)  第１収納部
(８)  第２収納部
(９)  制御回路
(41)  発光灯
【図１】
0003685744.tif 000002
【図２】
0003685744.tif 000003
【図３】
0003685744.tif 000004
【図４】
0003685744.tif 000005
【図５】
0003685744.tif 000006
【図６】
0003685744.tif 000007
【図７】
0003685744.tif 000008
【図８】
0003685744.tif 000009
【図９】
0003685744.tif 000010